(57)【要約】      （修正有）【課題】  比較的重い複数のロール製品を内部に独立保持して収容し、製品の出し入れ作業が容易で、コンテナ内部での製品の荷崩れが少なく、しかも製品の損傷が少ないロール製品用コンテナを提供すること。【解決手段】  支軸４が両端部から突出しているロール製品６を相互に略平行に向き合い且つ前記支軸と略平行となるように、パレット上に一対の側壁が装着される。パレットと側壁に端壁が着脱自在に連結し、各端壁が、上下方向に分割可能な下段パネル４４と上段パネル４２とを有し、これらの分割線上に、分割可能な支持孔４６が形成してある。この支持孔に支軸の端部が挿入され、ロール製品がコンテナ内に独立保持できる。下段パネルおよび／または上段パネルには、支持孔から外部に突出する支軸の端部の軸方向移動を制限するストッパ部材５０が具備してあり、ストッパ部材が、ストッパ位置と、非ストッパ位置とに切り替え移動可能になっている。【選択図】        図４
2006001637.tif 000002
【特許請求の範囲】
【請求項１】
支軸が両端部から突出しているロール製品を収容して輸送するためのコンテナであって、
相互に略平行に向き合い且つ前記支軸と略平行となるように、パレット上に装着される一対の側壁と、
相互に略平行に向き合い且つ前記支軸と略直角となるように、前記パレットおよび前記側壁に着脱自在に連結されて、前記一対の側壁とともに内部にロール製品を収容するための空間を区画する一対の端壁とを有し、
前記各端壁が、上下方向に分割可能な下段パネルと上段パネルとを有し、これら下段パネルと上段パネルとの分割線上に、分割可能な支持孔が形成してあり、この支持孔に前記支軸の端部が挿入され、ロール製品がコンテナ内に独立保持可能になっており、
前記下段パネルおよび／または上段パネルには、前記支持孔から外部に突出する支軸の端部の軸方向移動を制限するストッパ部材が具備してあり、
前記ストッパ部材が、前記支持孔から外部に突出する支軸の端部の軸方向移動を制限する位置と、制限しない位置とに切り替え移動可能になっていることを特徴とするロール製品輸送用コンテナ。
【請求項２】
前記支持孔から外部に突出する支軸の端部の軸方向移動を前記ストッパ部材が制限する位置で、前記下段パネルおよび／または上段パネルに対して前記ストッパ部材を解除可能に固定する固定具をさらに具備する請求項１に記載のロール製品輸送用コンテナ。
【請求項３】
前記端壁の外側には、外部端壁が位置し、前記パレットおよび前記側壁に着脱自在に連結してある請求項１または２に記載のロール製品輸送用コンテナ。
【請求項４】
前記側壁の両側端部の内側には、前記端壁を構成する各パネルがスライド式に挿入されるスライド溝が形成してある請求項１〜３のいずれかに記載のロール製品輸送用コンテナ。
【発明の詳細な説明】
【技術分野】
【０００１】
本発明は、たとえばフィルム、シート、紙、織物などの帯状物を支軸の回りに巻回したロール製品を収容して輸送するためのコンテナに関する。
【背景技術】
【０００２】
従来、フィルム、シート、紙、織物などの帯状物を支軸（たとえば紙管）の回りに巻回したロール製品を輸送する場合には、ロール製品を１本づつ包装シートで包んで一次包装を行い、このようにして包装したロール製品を個別に、あるいは数本づつまとめて木箱または段ボール箱から成るコンテナに収容していた。
【０００３】
しかしながら、従来のコンテナは、木箱または段ボール箱などで構成してあるため、多数本のロール製品をまとめて収容する場合に、ロール製品同士が擦れて損傷するおそれがあると言う課題を有している。したがって、木箱や段ボール箱に入れる前に、ロール製品を一つづつ一次包装する必要があり、その包装に要する労力と時間が多大であると共に、包装材料コストが嵩むという課題も有する。また、ロール製品の重量が大きい場合には、コンテナ内に複数のロール製品を積み重ねて収納した場合に、その上に積み重ねられたロール製品の荷重が、下にあるロール製品に作用し、製品を変形させるおそれがあるという課題も有する。
【０００４】
さらに、従来の木箱や段ボールから成るコンテナでは、一度の輸送後に再利用して用いることが困難であり、使い捨てとなり、資源の有効理由の観点から好ましくないものであった。
【０００５】
このような課題を解決するために、複数のロール製品を内部に相互に独立保持して輸送することが可能なコンテナが、開発されている（特許文献１参照）。このコンテナでは、端壁が分割可能なパネルで構成してあり、そのパネルの分割線にロール製品の支軸が挿入される支持孔が形成してある。そして、支軸の端部が軸方向に移動することを防止するために、パネルには、ストッパ部材が固定してある。
【０００６】
ところが、この先に開発されたコンテナでは、ロール製品を持ち上げるために、ロール製品の支軸に形成してある軸孔の内部にリフト用ロッドを挿入する際に、ストッパ部材が邪魔になり、ロール製品を持ち上げる作業が困難であると言う課題を有している。
【特許文献１】特開平１１−１３００６２号公報
【発明の開示】
【発明が解決しようとする課題】
【０００７】
本発明は、このような実状に鑑みてなされ、リフトを用いてコンテナからロール製品を出し入れする作業が容易であり、しかも、複数のロール製品を内部に独立保持して収容することが可能であり、比較的重いロール製品を収容した場合でも、コンテナ内部での製品の荷崩れが少なく、しかも製品の損傷が少ないロール製品用コンテナを提供することを目的とする。
【課題を解決するための手段】
【０００８】
上記目的を達成するために、本発明に係るロール製品輸送用コンテナは、
支軸が両端部から突出しているロール製品を収容して輸送するためのコンテナであって、
相互に略平行に向き合い且つ前記支軸と略平行となるように、パレット上に装着される一対の側壁と、
相互に略平行に向き合い且つ前記支軸と略直角となるように、前記パレットおよび前記側壁に着脱自在に連結されて、前記一対の側壁とともに内部にロール製品を収容するための空間を区画する一対の端壁とを有し、
前記各端壁が、上下方向に分割可能な下段パネルと上段パネルとを有し、これら下段パネルと上段パネルとの分割線上に、分割可能な支持孔が形成してあり、この支持孔に前記支軸の端部が挿入され、ロール製品がコンテナ内に独立保持可能になっており、
前記下段パネルおよび／または上段パネルには、前記支持孔から外部に突出する支軸の端部の軸方向移動を制限するストッパ部材が具備してあり、
前記ストッパ部材が、前記支持孔から外部に突出する支軸の端部の軸方向移動を制限する位置と、制限しない位置とに切り替え移動可能になっていることを特徴とする。
【０００９】
本発明に係るロール製品輸送用コンテナにおいて、ロール製品を収容するには、まず、コンテナのパレット上の相互に向かい合う位置に、パネルを立てて側壁を形成する。次に、これら側壁の各端部を連結するように、端壁を構成する一対の下段パネルをパレット上に相互に向き合うように略平行に立設する。
【００１０】
下段パネルの上端には、分割可能な支持孔の下半分が形成してある。この支持孔の下半分の上に、ロール製品の両端部から突出する支軸の両端部をそれぞれ載せる。その後、上段パネルを下段パネルの上端に分割線に沿って組み合わせれば、端壁が形成される。したがって、複数の支持孔に各ロール製品の支軸をそれぞれ保持させることで、各ロール製品は、側壁と端壁とで４方が囲まれるコンテナ空間内部に、他のロール製品または壁に接触することなく、独立保持状態で収容される。
【００１１】
したがって、各ロール製品が接触して擦れ合うことが無くなり、ロール製品毎に個別の一次包装を省略することができ、一次包装のための資材と労力とを省略することができる。また、本発明では、下段パネルと上段パネルとを分割することにより、支持孔が分割されるので、ロール製品の支軸両端部を支持孔に保持させる作業および支持孔から取り出す作業を容易且つ迅速に行うことができる。
【００１２】
特に、リフトを用いてロール製品をコンテナの内部に出し入れする際には、ストッパ部材を、パネルの支持孔から外部に突出する支軸の端部の軸方向移動を制限しない位置に移動させることで、ストッパ部材が邪魔になることが無く、その作業が容易である。
【００１３】
また、本発明に係るコンテナは、パレットと各側壁および端壁を構成するパネルとが着脱自在であり、折り畳むことができるので、ロール製品を運送した後の空コンテナを、折り畳んで小さくして返送し再利用することができる。したがって、返送のための輸送効率が向上すると共に、廃棄処分となるゴミが発生せず、資源の再利用に寄与する。また、コンテナを使用しないときにも、小さく折り畳んで保管することもできるので、保管スペースの省スペース化も図れる。
【００１４】
また、本発明では、支持孔の下半分にロール製品の支軸を載せた後には、ストッパ部材を移動させて、支軸の端部の軸方向移動を制限することができる。このため、ロール製品の端部とコンテナ壁との間に緩衝部材を介在させることなく、ロール製品の端部がコンテナ内壁に接触することを防止することができ、ロール製品の損傷を有効に防止することができる。また、ストッパ部材により支軸の軸方向移動が制限されることから、コンテナを搬送する乗物の加速度変化などによっても、ロール製品が軸方向に加速度移動することが制限され、壁を構成するパネルに作用する加速度衝撃力を最小限にできる。この点でも、パネルの撓み変形による製品の荷崩れを防止できる。
【００１５】
本発明において、好ましくは、前記支持孔から外部に突出する支軸の端部の軸方向移動を前記ストッパ部材が制限する位置で、前記下段パネルおよび／または上段パネルに対して前記ストッパ部材を解除可能に固定する固定具をさらに具備する。ストッパ部材をパネルに固定することで、支軸の端部の軸方向移動を制限することができる。
【００１６】
好ましくは、前記端壁の外側には、外部端壁が位置し、前記パレットおよび前記側壁に着脱自在に連結してある。外部端壁を具備させることで、コンテナの端壁が二重になり、コンテナの強度が増すと共に、ロール製品の支軸の端部がコンテナ外部に露出することを防止することができる。
【００１７】
好ましくは、前記側壁の両側端部の内側には、前記端壁を構成する各パネルがスライド式に挿入されるスライド溝が形成してある。スライド溝に対してパネルをスライド移動自在に挿入することで、側壁に対するパネルの着脱が容易になる。
【００１８】
本発明に係るコンテナ内に収容されるロール製品は、特に限定されず、たとえばフィルム、シート紙、織物などの帯状物を支軸の回りに巻回したロール製品が例示される。支軸は、金属製で構成されることが強度の面から好ましいが、その断面形状としては、中空でも中実でも良いが、ロッド状のリフトを用いる場合には、中空の支軸が好ましい。支軸の回りにロール製品が直接巻回してあることが一般的であるが、中空の巻軸に帯状物を巻回し、その巻軸の軸孔に支軸を挿通したものでも良い。
【発明の効果】
【００１９】
本発明によれば、リフトを用いてコンテナからロール製品を出し入れする作業が容易であり、しかも、複数のロール製品を内部に独立保持して収容することが可能であり、比較的重いロール製品を収容した場合でも、コンテナ内部での製品の荷崩れが少なく、しかも製品の損傷が少ないロール製品用コンテナを提供することができる。
【発明を実施するための最良の形態】
【００２０】
以下、本発明を、図面に示す実施形態に基づき説明する。
図１は本発明の一実施形態に係るロール製品輸送用コンテナの分解斜視図、
図２は側壁および外部端壁とパレットとの取付構造を示す分解斜視図、
図３（Ａ）は図１に示す端壁を構成するパネルの正面図、図３（Ｂ）は本発明の他の実施形態に係る端壁を構成するパネルの正面図、
図４はストッパ部材と支軸との関係を示す要部概略断面図である。
【００２１】
図１に示すように、本実施形態に係るロール製品輸送用コンテナ２は、底部にパレット８を有する。本実施形態のパレット８には、フォークリフトの爪部が差し込まれるリフト用孔１０が形成してある。パレット８は、たとえばステンレスなどの金属で構成してあることが好ましいが、プラスチックなどの金属以外の材質で構成することも可能である。
【００２２】
パレット８の上には、合板などで構成してある底板１２が載置される。また、このパレット８の四辺位置には、相互に略平行に向き合う一対の側壁１４，１４と、これら側壁１４，１４の両側端部を連結するように、しかも相互に略平行に向き合う一対の外部端壁１６，１６とが着脱自在に装着される。本実施形態では、側壁１４，１４は、パレット８の上で、ロール製品６の支軸４（図４参照）に対して略平行となるように立設される。また、外部端壁１６，１６は、パレット８の上で、ロール製品６の支軸４に対して略直角となるように立設される。
【００２３】
パレット８の上で、側壁１４，１４および外部端壁１６，１６で囲まれた空間が、ロール製品６を収容するための内部空間１８となる。これら側壁および外部端壁で囲まれた空間１８を閉じるために、側壁１４，１４および外部端壁１６，１６の上端には、矩形の蓋２０が上止め金具２２により着脱自在に装着される。
【００２４】
本実施形態では、各側壁１４および外部端壁１６は、それぞれ一枚のパネル１５で構成してあり、後述するような構造を採用することにより、パレット８に対して折り畳み自在となっている。
【００２５】
図１に示すように、側壁１４の両側端近くの内側には、鉛直方向に沿ってスライド溝６０が形成してある。各スライド溝６０は、側壁１４を構成するパネルの内側に取り付けた金具などで構成してある。スライド溝６０には、内側の端壁４０の両側端がスライド可能に挿入される。各端壁４０は、図３（Ａ）に示すように、分割線３５の位置で分割可能な上段パネル４２および下段パネル４４で構成してある。
【００２６】
なお、各パネル４２，４４は、特に限定されないが、木質合板で構成してあることが好ましい。木質合板は、比較的強度が高く、しかも収容されるロール製品に仮に接触したとしても製品へのダメージが少ないからである。
【００２７】
本実施形態では、図１および図２に示すように、パレット８の上の四隅位置には、下金具２４が立設してある。各下金具２４の内側には、断面略Ｌ字形状の係止片２６が固定してあり、上下方向に延びる垂直溝２８と、その溝２８の下端部に連続するように水平方向に延びる水平溝３０とを形成するようになっている。
【００２８】
一方、側壁１４を構成するパネル１５の両側端部には、高さ方向に沿って金属製の側端金枠３２が装着してある。各側端金枠３２は、パネル１５を補強する作用を有する。また、各側端金枠３２には、図１に示す外部端壁１６を構成するパネルの両端部がそれぞれスライド式に差し込まれるためのスライド溝３４が形成してある。また、この側端金枠３２の下端部に、回動用突起３８が具備してある。
【００２９】
各回動用突起３８は、図２に示すように、下金具２４の垂直溝２８に沿って挿入され、その溝２８の下端部で、水平方向に移動させることで（図２中矢印Ａ）、回動用突起３８は係止片２６により上方への抜け止めがなされる。したがって、各側壁１４を構成するパネル１５は、パレット８に対して上方への抜け止めがなされ、その状態で、パネル１５は、コンテナ２の内側方向Ｂへの回動が許容される。パネル１５のコンテナ外側への回動は、パネル１５が、パレット８の上に固定された下金具２４、係止片２６および帯状金具３６に当接することにより制限される。
【００３０】
本実施形態では、上述した構造を採用することにより、側壁１４および外部端壁１６を構成するパネル１５が、パレット８に対して折り畳み自在または着脱自在に装着される。
【００３１】
本実施形態では、前述したように、外部端壁１６の内側に取り付けられる各端壁４０が、分割線３５の位置で上下方向に分割および分離可能な二つのパネル４２，４４で構成してある。しかも図１に示すように、これらパネル４２，４４の両側端部は、側壁１４を構成するパネルの内側に形成してあるスライド溝６０にスライド式に差し込まれるようになっている。したがって、端壁４０は、パレット８の上で、当該パレット８および側壁１４に対して着脱自在に組み立て可能である。
【００３２】
図３（Ａ）に示すように、各端壁４０を構成するパネル４２，４４の突き合わせ部である各分割線３５上には、パネルの上下分割と共に上下分割可能な保持孔４６が、水平方向に所定間隔離れて形成してある。本実施形態では、各分割線３５毎に三つの支持孔４６が形成してある。これら支持孔４６の数や配置間隔は、コンテナ２の内部に収容されるロール製品６相互が干渉しないように決定される。各支持孔４６には、図４に示すように、ロール製品６の両端から突出している支軸４の両端が挿入されて支持されることが可能になっている。なお、支持孔４６の内径は、支軸４の外径と略同等であることが好ましい。
【００３３】
本実施形態では、端壁４０を構成する各パネル４２，４４は、木製合板で構成してあるが、側壁１４を構成するパネル１５の厚みよりも厚いことが好ましい。たとえばパネル１５の厚みを９ｍｍとした場合には、パネル４２，４４の厚みは、１８ｍｍ程度が好ましい。これらパネル４２，４４には、支軸４を介してロール製品６の重量が作用するからである。また、これらパネル４２，４４の縁部（分割線３５の部分を含む）には、保護枠４８が装着してあることが好ましい。保護枠４８は、ポリエステル樹脂、ＡＢＳ樹脂などの合成樹脂を塗布乾燥して形成することができる。また、支持孔４６の周囲には、ゴム材などで構成してある保護枠４９が装着してあることが好ましい。
【００３４】
保護枠４８を装着することが好ましいのは、端壁４０を構成する各パネル４２，４４の端部は、分割線３５に沿って相互に当接すると共に、図１に示すスライド溝６０に沿ってスライド移動することが要求され、多数回の使用にも耐えられる滑り易さと耐久性が要求されるからである。また、支持孔４６の縁部にも保護枠４９を設けることで、支軸４を支持孔４６により弾力保持するためでもある。
【００３５】
図３（Ａ）および図４に示すように、本実施形態では、分割線３５の下方に位置するパネル４４の外面には、ストッパ部材５０が蝶番５２により、矢印Ｃ方向に回動移動自在に装着してある。ストッパ部材５０は、図４に示す断面形状に折り曲げられた金属板であり、図３（Ａ）に示すように、パネル４２，４４の長手方向に沿って細長い形状を持つ。
【００３６】
ストッパ部材５０は、図４に示すように、支持孔４６から外部に突出する支軸４の端部の軸方向移動を制限する位置（ストッパ位置）と、制限しない位置（非ストッパ位置）とに、矢印Ｃ方向に回動移動可能になっている。ストッパ位置では、ストッパ部材５０の上端は、支軸４の先端に当接し、支軸４の軸孔４ａの先端開口の少なくとも一部を塞ぐようになっている。
【００３７】
また、ストッパ位置では、ストッパ部材５０は、図３（Ａ）に示すように、三つの支持孔４６の少なくとも下端部を塞ぐ位置にある。ストッパ部材５０の両側端部には、それぞれフランジ５４が形成してあり、各フランジ５４には、固定用孔５６が形成してある。固定用孔５６には、ストッパ位置で、下段パネル４４の両側外面に装着してある固定用ピン（固定具）５８が差し込まれ、ストッパ部材５０の回動が制限され、下段パネル４４に対してストッパ部材５０が固定されるようになっている。
【００３８】
本実施形態に係るロール製品輸送用コンテナ２において、ロール製品４を収容するには、まず、図１に示すように、コンテナ２のパレット８上に底板１２を設置すると共に、パレット８上の相互に向かい合う位置に、一対のパネル１５，１５を立てて側壁１４を形成する。これらパネル１５，１５をパレット８上に組み立てる方法は、前述した図２に示す方法を用いる。
【００３９】
次に、図１に示すスライド溝６０に沿って、下段パネル４４を、側壁１４の間に組み立てる。下段パネル４４の上端には、分割可能な支持孔４６の下半分が形成してある。その前後に、図３（Ａ）に示す固定用ピン５８とフランジ５４との係合を解除し、図４の二点鎖線で示すように、ストッパ部材５０を下側に回動させておき（非ストッパ位置）、ロール製品６の支軸４の各端部が、支持孔４６の下半分の上に、載せ易くしておく。その後に、リフト用ロッド７０が軸孔４ａに挿入されたロール製品６の支軸４の端部を、各支持孔４６の下半分の上に載せる。
【００４０】
その後に、ロッド７０を軸孔４ａから取り出し、ストッパ部材５０をストッパ位置に回動させ、固定用ピン５８にてストッパ部材５０の移動を制限して、支軸４が軸方向に移動することを防止する。その後に、上段パネル４２を下段パネル４４の上端に分割線３５に沿って組み合わせれば、内側の端壁４０が形成される。同時に、端壁４０および側壁１４で囲まれる空間の内部に、３つのロール製品６が収容される。
【００４１】
その後に、これら側壁１４，１４の各端部を連結するように、外部端壁１６を構成する一対のパネルをパレット８上に相互に向き合うように略平行に取り付ける。その取付は、前述したように、図２に示す手順で行われる。その後に、図１に示すように、側壁１４，１４および外部端壁１６，１６の上端には、矩形の蓋２０が上止め金具２２により着脱自在に装着される。
【００４２】
コンテナ２の内部からロール製品６を取り出すには、上述の逆の動作を行えばよい。
【００４３】
本実施形態に係るコンテナ２では、一方の端壁４０当たり３つの支持孔４６に各ロール製品６の支軸４をそれぞれ保持させることで、本実施形態では、３つのロール製品６を、側壁１４と端壁４０とで４方が囲まれるコンテナ空間１８内部に、相互に接触することなく、しかも壁に接触することなく、独立保持状態で収容することができる。
【００４４】
したがって、各ロール製品６が接触して擦れ合うことが無くなり、ロール製品６毎に個別の一次包装を省略することができ、一次包装のための資材と労力とを省略することができる。また、本実施形態では、各パネル４２，４４を分割することにより、支持孔４６が分割されるので、ロール製品６の支軸両端部を支持孔４６に保持させる作業および支持孔４６から取り出す作業を容易且つ迅速に行うことができる。
【００４５】
特に、リフト用ロッド７０を用いてロール製品６をコンテナ２の内部に出し入れする際には、ストッパ部材５０を、非ストッパ位置に移動させることで、ストッパ部材５０が邪魔になることが無く、その作業が容易である。
【００４６】
また、本実施形態に係るコンテナ２は、各側壁および端壁を構成するパネルとパレットとが着脱自在であり、折り畳むことができるので、ロール製品６を運送した後の空コンテナ２を、折り畳んで小さくして返送し再利用することができる。したがって、返送のための輸送効率が向上すると共に、廃棄処分となるゴミが発生せず、資源の再利用に寄与する。また、コンテナ２を使用しないときにも、小さく折り畳んで保管することもできるので、保管スペースの省スペース化も図れる。
【００４７】
さらに、本実施形態では、下段パネル４４に、支持孔４６から外部に突出する支軸４の端部の軸方向移動を制限するストッパ部材５０が具備してあることから、コンテナ２内部での支軸４の軸方向移動が有効に防止される。このため、ロール製品６の端部とコンテナ壁との間に緩衝部材を介在させることなく、ロール製品６の端部がコンテナ内壁に接触することを防止することができ、ロール製品６の損傷を有効に防止することができる。また、ストッパ部材５０により支軸４の軸方向移動が制限されることから、コンテナ２を搬送する乗物の加速度変化などによっても、ロール製品６が軸方向に加速度移動することが制限され、壁を構成するパネルに作用する加速度衝撃力を最小限にできる。この点でも、パネル４２，４４の撓み変形による製品の荷崩れを防止できる。
【００４８】
なお、本発明は、上述した実施形態に限定されるものではなく、本発明の範囲内で種々に改変することができる。
たとえば、各端壁４０を構成するパネルの数は、上述した実施形態では、２つであるが、３以上であっても良い。また、各端壁の分割線３５に沿って形成される保持孔４６の数は、３つに限定されず、図３（Ｂ）に示すように、２つでも良い。
【図面の簡単な説明】
【００４９】
【図１】図１は本発明の一実施形態に係るロール製品輸送用コンテナの分解斜視図である。
【図２】図２は側壁および外部端壁とパレットとの取付構造を示す分解斜視図である。
【図３】図３（Ａ）は図１に示す端壁を構成するパネルの正面図、図３（Ｂ）は本発明の他の実施形態に係る端壁を構成するパネルの正面図である。
【図４】図４はストッパ部材と支軸との関係を示す要部概略断面図である。
【符号の説明】
【００５０】
２…  コンテナ
４…  支軸
６…  ロール製品
８…  パレット
１４…  側壁
１５…  パネル
１６…  外部端壁
３５…  分割線
４０…  端壁
４２…  上段パネル
４４…  下段パネル
４６…  支持孔
５０…  ストッパ部材
５２…  蝶番
５６…  固定用孔
５８…  固定用ピン（固定具）
７０…  リフト用ロッド
【図１】
2006001637.tif 000003
【図２】
2006001637.tif 000004
【図３】
2006001637.tif 000005
【図４】
2006001637.tif 000006